(57)【要約】【課題】  複数のアンテナを有し複数のブランチ構成をなすダイバーシチ制御可能なアナログ／デジタル放送混載受信機に協働し、迅速なサーチ／オートプリセットを可能にする放送チャンネル検出装置を提供する。【解決手段】  放送チャンネル検出装置１は、受信状況が良好なときに、すなわちダイバーシチ制御を要しないときに、一方のアンテナ（ＡＴ１）でユーザにアナログ／デジタル放送を提供しつつ、不要となったもう一方のアンテナ（ＡＴ２）で当該受信中の放送のチャンネル以外のチャンネル群に対してチャンネルサーチを実行し、事前に受信チャンネル情報を取得してメモリ３に収集しておく。【選択図】      図１
2006074665.tif 000002
【特許請求の範囲】
【請求項１】
少なくとも２つのアンテナを備えてダイバーシチ制御可能なデジタル放送／アナログ放送混載受信機に協働してチャンネルサーチを行うための放送チャンネル検出装置であって、
第１の前記アンテナに属する第１のブランチにおいて前記アナログ放送の受信を行いつつ、第２の前記アンテナに属する第２のブランチにおいて前記デジタル放送をサーチしデジタル受信チャンネル情報を収集するように前記デジタル放送／アナログ放送混載受信機を動作させることを特徴とする放送チャンネル検出装置。
【請求項２】
少なくとも２つのアンテナを備えてダイバーシチ制御可能なデジタル放送／アナログ放送混載受信機に協働してチャンネルサーチを行うための放送チャンネル検出装置であって、
第１の前記アンテナに属する第１のブランチにおいて前記デジタル放送の受信を行いつつ、第２の前記アンテナに属する第２のブランチにおいて前記アナログ放送をサーチしアナログ受信チャンネル情報を収集するように前記デジタル放送／アナログ放送混載受信機を動作させることを特徴とする放送チャンネル検出装置。
【請求項３】
少なくとも２つのアンテナと少なくとも２つのチューナとを備えてダイバーシチ制御可能なデジタル放送／アナログ放送混載受信機に協働してチャンネルサーチを行うための放送チャンネル検出装置であって、
第１の前記アンテナと第１の前記チューナとによって前記デジタル放送の受信を行いつつ、第２の前記アンテナと第２の前記チューナとによって当該受信中のチャンネル以外の前記デジタル放送をサーチしデジタル受信チャンネル情報を収集するように前記デジタル放送／アナログ放送混載受信機を動作させることを特徴とする放送チャンネル検出装置。
【請求項４】
少なくとも２つのアンテナと少なくとも２つのチューナとを備えてダイバーシチ制御可能なデジタル放送／アナログ放送混載受信機に協働してチャンネルサーチを行うための放送チャンネル検出装置であって、
第１の前記アンテナと第１の前記チューナとによって前記アナログ放送の受信を行いつつ、第２の前記アンテナと第２の前記チューナとによって当該受信中のチャンネル以外の前記アナログ放送をサーチしアナログ受信チャンネル情報を収集するように前記デジタル放送／アナログ放送混載受信機を動作させることを特徴とする放送チャンネル検出装置。
【請求項５】
前記のデジタル放送／アナログ放送混載受信機の動作を、受信状況が良好なときに前記ダイバーシチ制御を中断させもしくは該ダイバーシチ制御の機能を低下させて、実行させることを特徴とする請求項１〜４のいずれか一項に記載の放送チャンネル検出装置。
【請求項６】
一定時間毎に前記受信状況の良否を判断し、良であるときに前記ダイバーシチ制御を中断させもしくは該ダイバーシチ制御の機能を低下させるように、前記のデジタル放送／アナログ放送混載受信機の動作を制御することを特徴とする請求項５に記載の放送チャンネル検出装置。
【請求項７】
一定距離を移動する毎に前記受信状況の良否を判断し、良であるときに前記ダイバーシチ制御を中断させもしくは該ダイバーシチ制御の機能を低下させるように、前記のデジタル放送／アナログ放送混載受信機の動作を制御することを特徴とする請求項５に記載の放送チャンネル検出装置。
【請求項８】
複数に区分けされたエリアの１つに入る毎に前記受信状況の良否を判断し、良であるときに前記ダイバーシチ制御を中断させもしくは該ダイバーシチ制御の機能を低下させるように、前記のデジタル放送／アナログ放送混載受信機の動作を制御することを特徴とする請求項５に記載の放送チャンネル検出装置。
【請求項９】
前記の収集された受信チャンネル情報をもって常にオートプリセットを実行することを特徴とする請求項１〜４のいずれか一項に記載の放送チャンネル検出装置。
【請求項１０】
複数に区分けされたエリアの各々に対応付けて、前記の収集された受信チャンネル情報をもって常にオートプリセットを実行することを特徴とする請求項１〜４のいずれか一項に記載の放送チャンネル検出装置。
【発明の詳細な説明】
【技術分野】
【０００１】
本発明は、放送受信機に協働して複数の規定の放送チャンネルの中から、実際に放送を提供しているチャンネルすなわち放送チャンネルをサーチして検出し、さらにはオートプリセットを行う放送チャンネル検出装置に関する。
【背景技術】
【０００２】
放送チャンネル検出装置は、多数のチャンネルを順次サーチしながら、その中から実際に放送を提供しているチャンネルを検出していく、いわゆる「チャンネルサーチ」や、地域毎に受信可能な複数の放送局のチャンネルを予め記憶しておいて、後で簡単な選局操作によって希望の放送局を受信できるようにする「オートプリセット」等を実行する上で、重要な装置であり、特に例えば移動を伴う車載用放送受信機にとっては必須の装置である。
【０００３】
従前の放送チャンネル検出装置は、アナログ放送のみを受信するアナログ放送受信機専用の装置であった。一方、周知のとおり、テレビジョン映像等の放送形態は２０１１年に向けて徐々にデジタル化されていくことになっており、したがって２０１１年までの受信機は、従前のアナログ放送と今後のデジタル放送との両機能を併有するアナログ放送／デジタル放送混載型の受信機が主流になるものと考えられる。この場合、上記のチャンネルサーチさらにはオートプリセットが短時間のうちに行われることが望まれる。なぜなら、当該サーチの対象となるチャンネルの数は、従前のアナログ放送チャンネルの数にさらにデジタル放送チャンネルの数が加わる上に、後者のデジタル放送のチャンネルの数は前者のアナログ放送のチャンネルの数に比べて遙かに大だからである。
【０００４】
なお、本発明に関連する公知文献としては、例えば下記の〔特許文献１〕〜〔特許文献３〕がある。
【０００５】
〔特許文献１〕は、従来のアナログ放送と、デジタル放送とが混在したテレビジョン放送受信端末において、復調された放送信号が、アナログであるかデジタルであるかを判定するための手法を開示する。
【０００６】
〔特許文献２〕は、アナログ・デジタル変調波の混在する信号を受信する受信装置において、変調波の種類を総合的に判定すべく、デジタルおよびアナログ双方の復調処理部において、変調波判定回路を新たに設ける手法を開示する。
【０００７】
また〔特許文献３〕には、次のことが示されている。すなわち、電源投入時等の初期設定時にチャンネルオートサーチを開始し、アナログ放送、デジタル放送を区別することなく順にチャンネルサーチして、各チャンネルの放送の有無を判別し、放送がある場合には、アナログ放送かデジタル放送かを判別して、その判別結果をチャンネル情報メモリ部に登録しておく。そして、ユーザのチャンネル指定を受けたとき、そのチャンネル情報をメモリ部から該当するチャンネルの情報を読み出して、その情報から指定チャンネルがアナログ放送かデジタル放送かを判別し、アナログ放送の場合はアナログ復調出力を、デジタル放送の場合はデジタル復調出力を選択的に導出する。
【０００８】
【特許文献１】特開２００１−１２８０８６号公報
【特許文献２】特開平１１−２６１９１３号公報
【特許文献３】特開２００１−２３０６８９号公報
【発明の開示】
【発明が解決しようとする課題】
【０００９】
上述のとおり、アナログ放送／デジタル放送混載型の受信機に協働すべき放送チャンネル検出装置にとっては、検出対象となるチャンネルが、従前のアナログ放送チャンネルに対してさらにデジタル放送チャンネルが加わったものとなり、その数は相当大きなものになる。加えて、デジタル放送のチャンネル数それ自体が、アナログ放送のチャンネル数に比べてきわめて大きい。
【００１０】
そしてさらに不都合なことは、アナログ放送の場合に比べて、デジタル放送の１つ１つのチャンネル検出に相当な時間を要してしまうことである。一具体例を挙げるならば、チューナ選局時間に５０msを要し、いわゆるモード／ガード・サーチ時間に１００msを要し、またＯＦＤＭフレーム同期確立時間に２０５〜４１１msを要することから、これらを合計した１放送チャンネルの総サーチ時間は「３５５〜５６１ms」となる。これは平均すると約０．５秒であって、例えばデジタル放送用に５０チャンネルが存在したとすれば、全チャンネルのサーチ完了に要する時間は最低でも２５秒ときわめて長いものになり、その間待たされるユーザの不快感はかなり大きなものがある。これが問題である。
【００１１】
したがって本発明は、上記問題点に鑑み、ユーザに待ち時間に伴う不快感を与えることなく、放送チャンネルの検出を行うことのできる放送チャンネル検出装置を提供することを目的とするものである。
【課題を解決するための手段】
【００１２】
図１は本発明に基づく放送チャンネル検出装置の原理構成図である。
【００１３】
本図において、参照番号１が本発明に係る放送チャンネル検出装置であって、受信チャンネル情報メモリ３を伴って、デジタル放送／アナログ放送混載受信機２に協働する。受信機２は、アンテナＡＴ１，ＡＴ２を備えて放送波をダイバーシチ受信する。
【００１４】
すなわち、本発明の放送チャンネル検出装置１は、少なくとも２つのアンテナＡＴ１およびＡＴ２を備えてダイバーシチ制御可能なデジタル放送／アナログ放送混載受信機２に協働してチャンネルサーチを行うための放送チャンネル検出装置である。
【００１５】
ここに本発明の基本的な考え方は、ユーザがチャンネルサーチの完了を待つ間の不快感をなくすために、そのチャンネルサーチをユーザの気付かないところで事前に行っておく、というものである。分かりやすく言えば、その考え方は、車載用のＡＶ機器を備える受信機（２）を例にとると、その塔載ＡＶ機器例えばＣＤ，ＭＤ，ＤＶＤ等を再生している間に、その裏で、放送チャンネル検出装置により受信チャンネル情報を予め収集しておく、という考え方に例えることができる。これにより、上記のユーザに与える不快感は解消される。
【００１６】
そこで本発明は上記の考え方として、新規な考え方を提案する。それは受信機２を構成するリソースの中で、状況に応じて不使用とすることのできるリソースがあれば、それをチャンネルサーチに活用する、という考え方である。具体的には次のとおりであり、例えば４つのモードが考えられる。これら４つのモードは、図１において、参照記号Ｍ１，Ｍ２，Ｍ３およびＭ４として図解的に表す。
【００１７】
〔１〕モードＭ１
アナログ放送（ＡＴＶ）の受信中に、デジタル放送（ＤＴＶ）のチャンネルサーチを行う。
【００１８】
〔２〕モードＭ２
デジタル放送（ＤＴＶ）の受信中に、アナログ放送（ＡＴＶ）のチャンネルサーチを行う。
【００１９】
〔３〕モードＭ３
デジタル放送（ＤＴＶ１）の受信中に、デジタル放送（ＤＴＶ２）のチャンネルサーチを行う。
【００２０】
〔４〕モードＭ４
アナログ放送（ＡＴＶ１）の受信中にアナログ放送（ＡＴＶ２）のチャンネルサーチを行う。
【発明の効果】
【００２１】
複数のアンテナを備えて複数のブランチを構成するダイバーシチ制御可能な受信機２においては、そのリソースが、状況に応じて冗長になることがある。本発明はこの事実を利用したものであって、受信機の構成に大幅な変更や追加を要することなく、裏で、すなわちユーザが気付かないところで、事前に受信チャンネル情報を取得しておき、ユーザの要求に応じて即座にオートプリセットを行うことができるようにしたものである。
【００２２】
ここで上記の事実が生じる典型的な例は、「受信状況が良好」な場合である。このような場合には、良好な受信を維持するための上記のダイバーシチ制御は不要となるから、これを中断させ、受信機２を上記モードＭ１〜Ｍ４のうちのいずれかのモードで動作させるようにする。
【発明を実施するための最良の形態】
【００２３】
図２は図１の構成をさらに具体的に示す図である。なお、全図を通じて同様の構成要素には同一の参照番号または記号を付して示す。
【００２４】
受信機２内において構成される、アンテナＡＴ１およびＡＴ２にそれぞれ属する各ブランチは、図中Ｂ１およびＢ２で表す。これらブランチ対応にチューナｂ１（２１）およびチューナｂ２（２２）があり、さらにデジタル波復調部２３およびデコーダ回路２４と、アナログ波復調部２５とがある。なお、デジタル波復調部２３は例えばＯＦＤＭ復調部であり、デコーダ回路２４は例えばＭＰＥＧデコーダである。
【００２５】
上記アナログ波復調部２５からの出力信号または上記デコーダ回路２４からの出力信号は、ＡＶ（Audio Visual）出力回路２６において増幅等が行れて、テレビジョン（ＴＶ）４に入力され、モニタには映像が表示され、スピーカからはその音声等が出力される。
【００２６】
さて図２において注目すべき部分は、本発明に係る放送チャンネル検出装置１であるが、本装置１の具体例としてはこれをＣＰＵによって構成すると共に、その検出動作はソフトウェア処理によって実現する。
【００２７】
ここで前述した〔１〕モードＭ１〜〔４〕モードＭ４をさらに詳しく表すと次のとおりである。
【００２８】
〔１〕モードＭ１（ＡＴＶ／ＤＴＶ）
第１のアンテナＡＴ１に属する第１のブランチＢ１においてアナログ放送（ＡＴＶ）の受信を行いつつ、第２のアンテナＡＴ２に属する第２のブランチＢ２においてデジタル放送（ＤＴＶ）をサーチしデジタル受信チャンネル情報を収集して、受信チャンネルメモリ３に格納するように受信機２を動作させる。
【００２９】
〔２〕モードＭ２（ＤＴＶ／ＡＴＶ）
第１のアンテナＡＴ１に属する第１のブランチＢ１においてデジタル放送（ＤＴＶ）の受信を行いつつ、第２のアンテナＡＴ２に属する第２のブランチＢ２においてアナログ放送（ＡＴＶ）をサーチしアナログ受信チャンネル情報を収集して、受信チャンネルメモリ３に格納するように受信機２を動作させる。
【００３０】
〔３〕モードＭ３（ＤＴＶ１／ＤＴＶ２）
第１のアンテナＡＴ１と第１のチューナ（図３の２１−１参照）とによってデジタル放送（ＤＴＶ１）の受信を行いつつ、第２のアンテナＡＴ２と第２のチューナ（図３の２１−２参照）とによって当該受信中のチャンネル以外のデジタル放送（ＤＴＶ２）をサーチしデジタル受信チャンネル情報を収集して、受信チャンネルメモリ３に格納するように受信機２を動作させる。
【００３１】
〔４〕モードＭ４（ＡＴＶ１／ＡＴＶ２）
第１のアンテナＡＴ１と第１のチューナ（図３の２２−１参照）とによってアナログ放送（ＡＴＶ１）の受信を行いつつ、第２のアンテナＡＴ２と第２のチューナ（図３の２２−２参照）とによって当該受信中のチャンネル以外のアナログ放送（ＡＴＶ２）をサーチしアナログ受信チャンネル情報を収集して、受信チャンネルメモリ３に格納するように受信機２を動作させる。
【００３２】
図３は図２の構成を一層詳細に示す図である。アンテナＡＴ１からの受信信号は第１アンテナ切替器３１に入力され、アナログ系端子ＴＡまたはデジタル系端子ＴＤのいずれか一方に振り分けられる。同様にアンテナＡＴ２からの受信信号はアナログ系端子ＴＡまたはデジタル系端子ＴＤに振り分けられる。
【００３３】
第１および第２アンテナ切替器３１および３２の各デジタル系端子ＴＤは、それぞれ第１デジタル放送用チューナ２１−１および第２デジタル放送用チューナ２１−２に接続され、同様に、第１および第２アンテナ切替器３１および３２の各アナログ系端子ＴＡは、それぞれ第１アナログ放送用チューナ２２−１および第２アナログ放送用チューナ２２−２に接続される。これらのアンテナ切替えはＣＰＵ１１によって制御される。
【００３４】
デジタル系のダイバーシチ制御は、合成部３３によって行われる。合成部３３は受信品質に応じた比率をもって、デジタル放送用チューナ２１−１および２１−２からの各出力を合成する。
【００３５】
一方アナログ系のダイバーシチ制御は、切替器３４によって行われる。切替器３４は比較器３５からの制御信号、すなわちアナログ放送用チューナ２２−１側の受信電界強度とアナログ放送用チューナ２２−２側の受信電界強度とを大小比較して得た制御信号に基づいて、大の側に切り替える。
【００３６】
なお、図２に示す、ＣＰＵ１１ヘの受信情報は、チューナ２１−１，２１−２，２２−１，２２−２および復調部２３，２５からＣＰＵ１１へ転送され、受信チャンネル情報として受信チャンネル情報メモリ３に格納される。
【００３７】
かかる図３の構成において、上記モードＭ１〜モードＭ４がいかに形成されるかについて、以下に図解的に示す。
【００３８】
図４〜図７は、図３において上記モードＭ１〜モードＭ４をそれぞれ形成する信号経路を矢印によって示す図である。
【００３９】
まず図４を参照すると、ここでは上記モードＭ１を形成する信号経路、すなわちアナログ放送（ＡＴＶ）の受信を行いつつ（実線矢印のＭ１Ａ）、その裏で、デジタル放送（ＤＴＶ）のチャンネルサーチを行う信号経路（点線矢印のＭ１Ｄ）が示されている。
【００４０】
次に図５を参照すると、ここでは上記モードＭ２を形成する信号経路、すなわちデジタル放送（ＤＴＶ）の受信を行いつつ（実線矢印のＭ２Ｄ）、その裏でアナログ放送（ＡＴＶ）のチャンネルサーチを行う信号経路（点線矢印のＭ２Ａ）が示されている。
【００４１】
また図６を参照すると、ここでは上記モードＭ３を形成する信号経路、すなわちデジタル放送（ＤＴＶ１）の受信を行いつつ（実線矢印のＭ３Ｄ１）、その裏でデジタル放送（ＤＴＶ２）のチャンネルサーチを行う信号経路（点線矢印のＭ３Ｄ２）が示されている。
【００４２】
さらに図７を参照すると、ここでは上記モードＭ４を形成する信号経路、すなわちアナログ放送（ＡＴＶ１）の受信を行いつつ（実線矢印のＭ４Ａ１）、その裏でアナログ放送（ＡＴＶ２）のチャンネルサーチを行う信号経路（点線矢印のＭ４Ａ２）が示されている。
【００４３】
さらに説明を補足すると、図４のモードＭ１においては、切替器３４は図示する上側の接点に固定される。
【００４４】
また図５のモードＭ２においては、切替器３４は図示する下側の接点に固定される。
【００４５】
さらに図６のモードＭ３について見ると、デジタル放送（ＤＴＶ２）のチャンネルサーチは、デジタル放送用チューナ２１−２の後段でかつ合成部３３の前段の部分に配置される（図示しない）レベル検出部ならびにフレーム同期部によって実行される。
【００４６】
また図７のモードＭ４の場合も、アナログ放送（ＡＴＶ２）のチャンネルサーチは、アナログ放送用チューナ２２−２の後段でかつ切替器３４の前段の部分に配置される（図示しない）レベル検出部によって実行される。
【００４７】
ここで図８を参照して、上記図４の場合（モードＭ１）を代表例として、その動作例のフローチャートを示しておく。
【００４８】
本図において、まずアナログ放送（ＡＴＶ）モードがユーザにより設定されたとする。
【００４９】
ステップＳ１１：通常の、アナログテレビ（ＡＴＶ）放送の受信処理が行われる。このとき、２つのアンテナＡＴ１およびＡＴ２を用いてダイバーシチ制御が行われる。受信状況が余り良くないときは、常に受信がより良好な側のアンテナ（ＡＴ１またはＡＴ２）が選択される。図４では、アンテナＡＴ１が選択されているときの例を示す。
【００５０】
ステップＳ１２：そのアナログテレビ放送（ＡＴＶ）の受信状況が良好か否か、ＣＰＵ１１が判定する。良好でなければ（Ｎｏ）、ダイバーシチ制御を繰り返す。
【００５１】
ステップＳ１３：受信状況が良好である（Ｙｅｓ）とＣＰＵ１１が判断すると、上記ダイバーシチ制御を中断させて（もしくは該ダイバーシチ制御の機能を低下させて）、もう一方の側のアンテナＡＴ２を、これまでのアナログ系端子ＴＡ側から、デジタル系端子ＴＤ側に、ＣＰＵ１１が切り替える（ブランチ切替）。
【００５２】
ステップＳ１４：そのデジタル系端子ＴＤを介し、アンテナＡＴ２からの受信信号はデジタル放送用チューナ２１−２の側に送られ、ここにデジタル放送（ＤＴＶ）のチャンネルサーチ処理が、アンテナＡＴ１によるアナログ放送（ＡＴＶ１）の受信と並行して行われる。
【００５３】
ステップＳ１５：上記ステップＳ１４において取得した、デジタル放送（ＤＴＶ）の受信チャンネル情報はメモリ３に格納される。以下、ステップＳ１１に戻って繰り返す。そして、その後のユーザの求めに応じてオートプリセット処理を即座に実施すべく、待機する。
【００５４】
ここで上記ステップＳ１３以降のサーチ／メモリ処理についてさらに説明を補足すると次のとおりである。かかるサーチ／メモリ処理を、常に連続して行うことにより、常に更新された受信チャンネル情報が得られるので好ましい。ところが一方、余り頻繁にそのサーチ／メモリ処理を繰り返すと、ＣＰＵ１１の負荷が増大してしまうばかりでなく、画質の頻繁な変動が気になり出して好ましくない。
【００５５】
このため、ある周期をもって間けつ的に上記のサーチ／メモリ処理を実行するのが望ましい。特に移動体に塔載される放送チャンネル検出装置には、次のような態様（ｉ）〜（iii）でサーチ／メモリ処理を実行させることが望ましい。
【００５６】
（ｉ）一定時間毎に受信状況の良否を判断し、良であるときにダイバーシチ制御を中断させもしくは該ダイバーシチ制御の機能を低下させるように、受信機２を制御するか、（ii）一定距離を移動する毎に受信状況の良否を判断し、良であるときにダイバーシチ制御を中断させもしくは該ダイバーシチ制御の機能を低下させるように、受信機２を制御するか、（iii）複数に区分けされたエリアの１つに入る毎に受信状況の良否を判断し、良であるときにダイバーシチ制御を中断させもしくは該ダイバーシチ制御の機能を低下させるように、受信機２を制御する。ここに、「ダイバーシチ制御を中断させる」ことのみならず、「ダイバーシチ制御の機能を低下させる」ことも含めたのは、４本アンテナのダイバーシチ制御の場合をも想定したからである。この４本アンテナのダイバーシチ制御を行う受信機において本発明を適用するには、該受信機は４本のアンテナのうち所定の１本をチャンネルサーチのために使用し、残りの３本を本来のダイバーシチ制御に供することになる。そうすると、このような３本アンテナのダイバーシチ制御ではその機能が十二分に発揮されず若干の機能低下が生じてしまう。しかしそのような機能低下があったとしても、受信状況が良好な場合であるから、ユーザが気になる程の画質の劣化が生じることはない。
【００５７】
上記（ｉ）はタイマーにより、上記（ii）は走行メータにより、上記（iii）は塔載するナビゲーションシステムを併用することにより、それぞれ容易に実現可能である。
【００５８】
図９は図８に示す動作フローの変形例を示す図であり、上述した（ｉ）〜（iii）のような間けつ的判定動作がさらに加わる。すなわち、上述した（ｉ）〜（iii）のいずれかによる判定ステップＳ２１が挿入される。
【００５９】
かくして事前に収集された受信チャンネル情報をもって、放送チャンネル検出装置１は常に迅速にオートプリセットを完了することができる。
【００６０】
この場合、特に上記（iii）に着目すると、上記の収集された受信チャンネル情報を、複数に区分けされたエリアの各々に対応付けて、常にオートプリセットを実行することもできる。これにより放送チャンネル検出装置１に学習機能をもたせることができる。これは、塔載するナビゲーションシステムとの連携により容易に実現できるものであり、例えば複数のエリアＡ１，Ａ２，Ａ３…Ａｎについて、それぞれの受信チャンネル情報を装置１にて徐々に蓄積していって、メモリ３内に各エリア対応の受信チャンネルテーブルを構築し完成させれば、その後は、現在地のエリアを特定するだけで、そのエリアでのオートプリセットが即座に実行完了できることになる。
【産業上の利用可能性】
【００６１】
本発明は特に車載用のアナログ／デジタル放送混載受信機に好適な、高速サーチ／オートプリセット装置を実現する手段として有益である。
【図面の簡単な説明】
【００６２】
【図１】本発明に基づく放送チャンネル検出装置の原理構成図である。
【図２】図１の構成をさらに具体的に示す図である。
【図３】図２の構成を一層詳細に示す図である。
【図４】図３においてモードＭ１を形成する信号経路を示す図である。
【図５】図３においてモードＭ２を形成する信号経路を示す図である。
【図６】図３においてモードＭ３を形成する信号経路を示す図である。
【図７】図３においてモードＭ４を形成する信号経路を示す図である。
【図８】モードＭ１（図４）を代表例とする動作フローを示す図である。
【図９】図８に示す動作フローの変形例を示す図である。
【符号の説明】
【００６３】
１    放送チャンネル検出装置
２    デジタル放送／アナログ放送混載受信機
３    受信チャンネル情報メモリ
４    テレビジョン
１１    ＣＰＵ
２１    デジタル放送用チューナ
２２    アナログ放送用チューナ
２３    デジタル波復調部
２４    デコーダ回路
２５    アナログ波復調部
ＡＴ１，ＡＴ２    アンテナ
Ｂ１，Ｂ２    ブランチ
【図１】
2006074665.tif 000003
【図２】
2006074665.tif 000004
【図３】
2006074665.tif 000005
【図４】
2006074665.tif 000006
【図５】
2006074665.tif 000007
【図６】
2006074665.tif 000008
【図７】
2006074665.tif 000009
【図８】
2006074665.tif 000010
【図９】
2006074665.tif 000011